(57)【特許請求の範囲】
【請求項１】
矩形状の用紙の対向する左右の端縁に平行な折り曲げ部を２つ有し、該折り曲げ部で左区画、中央区画、右区画に区画され、前記折り曲げ部で左区画及び右区画を前記左右の端縁が向かい合うように内折りされた観音開き状のチラシであって、前記折り曲げ部で内折りされた左区画及び右区画の周縁を剥離可能に接着して袋綴じされているとともに、隠蔽可能な通信シートが前記矩形状の用紙の中央区画の外側を成す面にのみ印刷により設けられており、前記隠蔽可能な通信シートは葉書本体片と隠蔽用紙片から構成されており、前記葉書本体片の下部には個人情報記入欄が設けられており、前記隠蔽用紙片は前記個人情報記入欄と略同サイズで前記個人情報記入欄の下端に連接して設けられており、前記隠蔽用紙片には前記個人情報記入欄の下端と連接する一辺を除く三辺の周縁に糊代部が設けられていることを特徴とする通信シート付チラシ。
【請求項２】
前記折り曲げ部で内折りされた前記左区画及び前記右区画の前記左右の端縁を突き合わせて内折りされていることを特徴とする請求項１記載の通信シート付チラシ。
【発明の詳細な説明】
【技術分野】
【０００１】
本発明は、そのままの状態で送付したり、新聞等に折り込むことができ、受け取った顧客が容易に開封できる封緘したチラシに関し、特に返信葉書を綴じ込んだチラシに関するものである。
【背景技術】
【０００２】
従来より、商品又は役務の内容を記載したパンフレット、チラシ、カタログ等は、種々の分野で広く利用されている。例えば顧客に商品等を選択させる贈り物として利用することが知られている。また、通販会社等で、過去に注文を受けた顧客等に対して、ダイレクトメールとしてパンフレットやチラシを送付することが知られている。このような場合には、顧客の宛名や挨拶文を印字した台紙を、申込葉書とともにパンフレットやチラシに添付して送付することが一般的であり、申込葉書に個人情報を記入し、返送してもらうような場合には、申込葉書として、例えば、同サイズのはがき用紙並びに隠蔽用紙が折畳み可能に接合されており、該はがき用紙の内面に情報記入欄が設定されていると共に、隠蔽用紙の内面に再剥離粘着剤が塗布され、その表面に剥離紙が貼付された隠蔽式はがきであって、記入した情報記入欄を、隠蔽用紙片の表面に貼着された剥離紙片を剥がし、再剥離性粘着剤を露出させた後、隠蔽用紙片を折畳み、擬似接着して郵送できるようにしたものが知られている。
【特許文献１】特開平７−２１４９４７号公報
【０００３】
しかし、前述のパンフレットやチラシを顧客に送付するには、封筒を準備する作業、封筒にパンフレットやチラシや、返信用葉書を封入し封緘する等の煩雑な作業がある。また、返信用葉書も個人情報が記入されるので隠蔽葉書の使用が望まれている。
【発明の開示】
【発明が解決しようとする課題】
【０００４】
そこで本発明は、上記の課題を解決するために、多量の情報と個人情報を保護できる通信シートを同封でき、かつ封筒の準備、封筒への封入、封緘作業の不要なチラシの形態を提供することである。
【課題を解決するための手段】
【０００５】
本発明は、上記課題を達成するために、請求項１記載の本発明は、矩形状の用紙の対向する左右の端縁に平行な折り曲げ部を２つ有し、該折り曲げ部で左区画、中央区画、右区画に区画され、前記折り曲げ部で左区画及び右区画を前記左右の端縁が向かい合うように内折りされた観音開き状のチラシであって、前記折り曲げ部で内折りされた左区画及び右区画の周縁を剥離可能に接着して袋綴じされているとともに、隠蔽可能な通信シートが前記矩形状の用紙の中央区画の外側を成す面にのみ印刷により設けられており、前記隠蔽可能な通信シートは葉書本体片と隠蔽用紙片から構成されており、前記葉書本体片の下部には個人情報記入欄が設けられており、前記隠蔽用紙片は前記個人情報記入欄と略同サイズで前記個人情報記入欄の下端に連接して設けられており、前記隠蔽用紙片には前記個人情報記入欄の下端と連接する一辺を除く三辺の周縁に糊代部が設けられていることを特徴とするものである。
【０００６】
また、請求項２記載の本発明は、請求項１記載の通信シート付チラシにおいて、前記折り曲げ部で内折りされた前記左区画及び前記右区画の前記左右の端縁を突き合わせて内折りされていることを特徴とするものである。
【発明の効果】
【０００７】
本発明は、チラシにより商品等の情報を顧客へ提供でき、申込み用隠蔽葉書や封書等の通信シートも同封でき、封筒の準備、封筒への封入、封緘作業が不要となり、合理化、納期の短縮化が図れるという効果を奏するものである。また、内折りされた左区画及び右区画の周縁を剥離可能に接着して袋綴じされているためチラシが特定の人間を対象として配布される或いは秘密を要する或いは公開をはばかる場合には他人が見ることをある程度妨げることが可能で、しかも袋綴じ部を有するため、例えば「親展」の文字を併せ印刷しておけばチラシの価値を高く見せることもできる。一方、公開しても差支えないが折畳み袋綴じしてあるため却って顧客の興味をそそる等の効果をも有するものである。さらに、折り曲げ部で左区画及び右区画を左右の端縁が向かい合うように内折りされており、前記左右の端縁間の隙間から中央区画の内面に記載された内容の一部が見えるために、一層、顧客の興味をそそる効果がある。
【０００８】
また、袋綴じ部は、剥離可能に接着されているために、チラシを受け取った顧客は、袋綴じ部の一隅より容易に観音開き状に開封でき、見開き状態にできるという効果がある。
【０００９】
さらに、用紙に隠蔽可能な通信シートが含まれており、顧客が記入した個人情報を隠蔽できるために個人情報の保護が図れ、顧客が安心して郵送できるという効果がある。
【発明を実施するための最良の形態】
【００１０】
以下、図面を参照しながら本発明の一実施形態について、説明する。
図１は本発明にかかる通信シート付チラシの一実施形態を示す外側と内側の展開図、図２は左区画及び右区画を折り曲げ部で内折りして周縁を袋綴じした平面図、図３は本発明にかかる通信シート付チラシの他の実施形態を示す図１におけるＸ−Ｘ相当の断面を図解的に示す説明図を示す。図中に付したアルファベット記号、Ｌは矩形状の用紙の内側から見て左側となる左区画を、Ｃは中央区画を、Ｒは右側となる右区画を、ｌは用紙の左端縁を、ｒは用紙の右端縁をそれぞれ示している。
【００１１】
図１に示すように本発明の通信シート付チラシ１は矩形状の用紙２の対向する左右の端縁に平行な折り曲げ部３を２つ有し、用紙２の内側から見て該折り曲げ部３、３で左区画Ｌ、中央区画Ｃ、右区画Ｒに区画されている。用紙２の内側の左区画Ｌ、中央区画Ｃ、右区画Ｒには商品情報が記載され、左区画Ｌ及び右区画Ｒの折り曲げ部３を除く周縁には接着部４（図１の（内側）において斜線図で示す部分）が設けられている。この用紙２の内側の左区画Ｌ及び右区画Ｒは袋綴じされるために秘密を要する情報の記載等に使用することができる。用紙２の外側の右区画Ｒ及び左区画Ｌには、商品情報やキャッチフレーズ等の顧客への情報が記載され、それぞれの一角に開封部５、５が設けられ、中央区画Ｃには通信シート１０が切取線１１を介して連接されている。通信シート１０は葉書本体片１２の下部に個人情報記入欄１３が設けられ、該個人情報記入欄１３の下端に形成された折り線１４を介して該個人情報記入欄１３と略同サイズの隠蔽用紙片１５が連接されている。通信シート１０に近接した部分に通信シート１０の使用方法等が記載されている。隠蔽用紙片１５には折り線１４を除く周縁に糊代部１６が設けられている。通信シート１０の使用に際し、顧客は、通信シート１０を切取線１１より切取り、個人情報記入欄１３に必要事項等を記入後、隠蔽用紙片１５に設けられた糊代部１６に糊を塗り、折り線１４で折返して個人情報記入欄１３に重ねて接着すると記入された個人情報が隠蔽され、顧客が安心して送付できるものである。また、隠蔽しない場合には、隠蔽用紙片１５を切取ればよい。また、用紙２に設けた開封部５、５に切欠きを設けて、より開封しやすくしてもよい。通信シート１０は、使用する用紙２の坪量により、封書又は葉書扱いにでき、例えば、葉書扱いにするには１１０ｋｇ／四六の用紙を用いればよく、郵便法の規定に基づき定められる「内国郵便約款」の範囲内で選択すればよい。
【００１２】
次に、図１、図２を参照しながら、本発明の通信シート付チラシ１の折畳み方法を説明する。図１に示すように左区画Ｌ及び右区画Ｒの周縁に形成された接着部４に接着剤を塗布して、折り曲げ部３、３で用紙２の左端縁ｌと右端縁ｒが向かい合うように内折りされ、図２に示すように左端縁ｌと右端縁ｒとの間に帯状の隙間６が設けられて、剥離可能に接着して袋綴じする。隙間６からは中央区画Ｃの内側に記載されている情報が、一瞥できる。隙間６は顧客の興味をそそる程度に設けることが好ましく、中央区画Ｃに記載されている情報に基づいて選択される。また、中央区画Ｃの内側に記載されている情報を見せる必要がなければ、左端縁ｌと右端縁ｒを突き合わせてもよい。さらに、折り曲げ部３、３は任意の位置に設けることができる。また、使用する接着剤は、ホットメルトタイプ、溶剤タイプ、水系タイプいずれも用いることができるが、例えば、高級脂肪酸系ワックス等を主成分とするエマルジョン系接着剤が好ましく使用できる。また、接着部４への塗布パターンは特に限定されないが、略円形状のスポットコートが望ましい。接着剤は左区画Ｌ及び右区画Ｒが折り曲げ部３、３で内折りされて接着部４と対向する部分にも塗布してもよいが、剥離可能な接着にするには接着部４のみに塗布することが好ましい。また、接着部４にインキ、ポバール等の目止め剤、シリコーン等を含む剥離剤等を用いてプライマー層を設けてもよい。本発明の通信シート付チラシ１を受け取った顧客は、開封に際して、図２に示すように開封部５、５より左区画Ｌ及び右区画Ｒの接着部４を容易に剥離して観音開き状に開封できるものである。
【００１３】
以上、説明してきた本発明の通信シート付チラシ１は、通常の技法でオフセット印刷やグラビア印刷等の印刷方式で印刷され、断才、折りして自動製本ができ、そのままで新聞等への折込チラシとして使用でき或いは指定されたエリアの生活者宅への投げ込みを行うポスティングも行える形態であり、封筒の準備、封筒への封入、封緘作業が不要となり、工程の合理化、納期の短縮化が図れるものである。
【００１４】
図３は、本発明の他の実施形態を示し、図１におけるＸ−Ｘに相当の断面を示すものであり、上記の本発明の一実施形態と通信シートの構成が異なるものであり、その他は同じである。図３に示すように通信シート２０は葉書本体片１２の下部に個人情報記入欄１３が設けられ、該個人情報記入欄１３の下端に形成された折り線１４を介して該個人情報記入欄１３と略同サイズの隠蔽用紙片２５が連接されている。隠蔽用紙片２５は上面に再剥離再粘着剤２６を介して剥離紙２７が貼付されている。通信シート２０の使用に際し、顧客は、通信シート２０を切取線１１より切取り、個人情報記入欄１３に必要事項等を記入後、剥離紙２７を剥離し、再剥離再粘着剤２６を露出させて、折り線１４で折り返して個人情報記入欄１３に貼付すると記入された個人情報が隠蔽され、顧客が安心して送付できるものである。また、通信シート２０の受信者は、再剥離再粘着剤２６が使用されているために、隠蔽用紙片２５を紙破れさせることなく容易に剥離することができ、個人情報が取得できるものである。尚、隠蔽方式は、これ以外に隠蔽用紙片上に、剥離剤層が設けられ、接着剤層を介して、上面に透明な粘着剤層を有する透明性シートと、剥離紙とが順次重ねられてなるタイプ等が種々あるが、いずれのタイプを用いてもよく、これらに限定されるものではない。
【図面の簡単な説明】
【００１５】
【図１】本発明にかかる通信シート付チラシの一実施形態を示す外側と内側の展開図である。
【図２】左区画及び右区画を折り曲げ部で内折りして周縁を袋綴じした平面図である。
【図３】本発明にかかる通信シート付チラシの他の実施形態を示す図１におけるＸ−Ｘ相当の断面を図解的に示す説明図である。
【符号の説明】
【００１６】
１                                      通信シート付チラシ
２                                      用紙
３                                      折り曲げ部
４                                      接着部
５                                      開封部
６                                      隙間
１０                                    通信シート
１１                                    切取線
１２                                    葉書本体片
１３                                    個人情報記入欄
１４                                    折り線
１５                                    隠蔽用紙片
１６                                    糊代部
２０                                    通信シート
２５                                    隠蔽用紙片
２６                                    再剥離再粘着剤
２７                                    剥離紙
Ｌ                                      左区画
Ｒ                                      右区画
Ｃ                                      中央区画
ｌ                                      左端縁
ｒ                                      右端縁
【図１】
0004844816.tif 000002
【図２】
0004844816.tif 000003
【図３】
0004844816.tif 000004